(57)【要約】【課題】照明器具の加工と製造工程を大幅に簡素化し、且つ金型コストを下げて、開発時間を短縮するＬＥＤ照明装置を提供する。      【解決手段】ＬＥＤ照明装置は、一体成型のアルミ材絞出しライトフレーム、ＬＥＤモジュール、端蓋及び透光カバーを含む。そのうち、ライトフレームは台座を含み、その台座の最上面に放熱片を成形し、二枚の隣合う放熱片の間には放熱通路が形成される。別に台座の内側には支持部が成形される。ＬＥＤモジュールは、固定座、固定座の一側面に固定するライトカバー及びライトカバー内部に複数納置するＬＥＤライトを含み、固定座上には台座の支持部に対応する連接部を設置し、相互固定して連接する。各端蓋は、ライトフレームの前、後二側に連接して封鎖し、また、透光カバーはライトフレームの下方に連接する。そして、ライトフレーム、端蓋及び透光カバーの間はＬＥＤモジュールを設置するための納置空間が形成される。【選択図】図２
0003127899.tif 000002
【実用新案登録請求の範囲】
【請求項１】
アルミ絞り型ライトフレーム、複数ＬＥＤモジュール、一組の端蓋、透光カバーを含む
ＬＥＤ照明装置において、
一台座を具え、その台座の最上面には多数枚の放熱片が伸び、二枚の隣合う放熱片の間に
は放熱通路が形成され、別に、台座11内側には支持部が成形されるアルミ絞り型ライトフ
レームと、
固定座、固定座の一側面に固定されたライトカバー及びライトカバー内部に納置する複数
のＬＥＤライトを含み、固定座上に台座の支持部と対応する連接部を設置し、相互に固定
連接する複数のＬＥＤモジュールと、
各々ライトフレームの前、後二側に封合して連接する一組の端蓋と、
ライトフレームの下方に連接し、ライトフレーム、端蓋及び透光カバーの間に、ＬＥＤモ
ジュールを設置する納置空間を形成する透光カバーから構成されることを特徴とするＬＥ
Ｄ照明装置。
【請求項２】
前記ライトフレームの台座は、ライトフレームの長さ方向断面がＭ字型を形成すること
を特徴とする請求項１記載のＬＥＤ照明装置。
【請求項３】
前記支持部は、台座の傾斜板に形成する「Ｔ」字型溝で、連接部は固定座の通孔に設置
して、そこにネジ及びナットで固定することを特徴とする請求項２記載のＬＥＤ照明装置
。
【請求項４】
前記支持部は、その隙間箇所で下向きに凸条が伸び、その凸条の中央にはコード納置溝
が凹切されることを特徴とする請求項３記載のＬＥＤ照明装置。
【請求項５】
前記ＬＥＤモジュールは、温度均等板を含み、その上、下二平面は各々、ライトフレー
ムの凸条及び各ＬＥＤライトの背面に貼り合わされていることを特徴とする請求項４記載
のＬＥＤ照明装置。
【請求項６】
前記台座は、その側板底面に各々溝道を設置し、透光カバーには二枚の平板を具え、更
に、各平板上には各々溝及び通孔を成形し、この溝には長方形の防水ゴム条を設置し、ま
た、通孔は前述の溝道に対応して設置し、そこをネジ及びナットで固定することを特徴と
する請求項２記載のＬＥＤ照明装置。
【請求項７】
前記台座は、その最上面に相互に対応する二個の貫通穿孔を設置し、また、各端蓋には
各々凸耳を成形し、その凸耳上には前述の貫通穿孔に対応する通孔を設置してネジ及びナ
ットで固定することを特徴とする請求項１記載のＬＥＤ照明装置。
【請求項８】
前記各端蓋は、それぞれ内向きに延長段が突出し、この延長段は台座内に差し込むこと
を特徴とする請求項１記載のＬＥＤ照明装置。
【請求項９】
前記後方の端蓋は、その下方に可動式の保護蓋を設置することを特徴とする請求項１記
載のＬＥＤ照明装置。
【請求項１０】
前記透光カバーは、透明もしくは半透明のどちらかであることを特徴とする請求項１記
載のＬＥＤ照明装置。
【考案の詳細な説明】
【技術分野】
【０００１】
本考案は、ＬＥＤ照明装置に関するもので、ＬＥＤライト部品とその組立てが簡易なも
のである。
【背景技術】
【０００２】
発光ダイオード(LED)は、輝度が高く、省電力で、寿命も長いという多くの長所から、
照明器具に幅広く応用されている。通常、多くのＬＥＤライトを回路板上に配列連結して
ＬＥＤライト組を形成する。更に、複数のＬＥＤライト組の連続もしくはＬＥＤモジュー
ルを連続設置することにより、広範囲の照明と高輝度を達成する。更に、それを室内もし
くは戸外の照明装置とする。そのうち、戸外の照明装置は長期に室外で環境に曝されてい
るため、密封性、防水性、防塵性、放熱性等の要求が一般の室内照明装置より高い。言い
換えると、ＬＥＤ電球の耐熱性は悪く、通常、放熱器で各ＬＥＤライトから発した熱を逃
がす必要がある（特許文献１）。
【０００３】
公知のＬＥＤ照明装置である下記に示すもの(特許文献２）は、主に、ライトフレーム
、透光カバー、仕切板、一ＬＥＤモジュールを含み、そのうち、ライトフレームには通風
溝を開設し、透光カバーはライトフレームと相互連接する。また、仕切板を水平方式でラ
イトフレーム及び透光カバーの間に結合し、その隙間に第一と第二空間が形成される。別
に、仕切板の中央には開口を設置する。ＬＥＤモジュールは回路板、回路板の上、下平面
に固定した放熱器及び複数のＬＥＤライトを含み、回路板は仕切板の開口箇所で封鎖する
。そして、各ＬＥＤライトを第二空間内に納置し、放熱器を第一空間中に納置する。更に
、それは、ヒートパイプ及びヒートパイプに嵌合した多数の放熱片で構成され、これらの
放熱片は相互に重畳して構成され、このようにしてＬＥＤ照明装置が構成される。
【０００４】
【特許文献２】特開２００６−１４７２１４号公報
【特許文献１】台湾  実用新案登録第Ｍ２９２０４２号
【０００５】
しかしながら、公知のＬＥＤ照明装置は実際に使用するにおいて下述の問題点がある。
つまり、ライトフレーム、仕切板及びＬＥＤモジュールの放熱片組は各々別に製造し設置
するため、各部品の金型コストがかかるだけでなく、更に、組立工程ではかなり複雑であ
るため、製造コストと組立コストが大幅に上昇する。別に、各種異なる規格、効率もしく
はルーメン数(Lumens)を生産する照明装置において、各照明装置の使用要求に基づき各々
対応する金型を作らなければならない。これによって、金型の製作コスト及び開発製作時
間が延びる。更に、ヒートパイプだけで伝熱するため、ＬＥＤライトと直接合わされる表
面積には制限があり、そのため、遠ざけられる熱量にも限度があり、改善を必要とする。
【考案の開示】
【考案が解決しようとする課題】
【０００６】
解決しようとする問題点は、照明器具の加工と製造工程が複雑で、且つ金型コストがか
かり、開発にも時間がかかりすぎる点である。
【課題を解決するための手段】
【０００７】
本考案は、一体成型のアルミ材絞出しライトフレーム、ＬＥＤモジュール、端蓋及び透
光カバーを含む。そのうち、ライトフレームは、台座を含み、その台座の最上面に放熱片
を成形し、二枚の隣合う放熱片の間には放熱通路が形成される。別に、台座の内側には支
持部が成形される。ＬＥＤモジュールは、固定座、固定座の一側面に固定するライトカバ
ー及びライトカバー内部に複数の納置するＬＥＤライトを含み、固定座上には台座の支持
部に対応する連接部を設置し、相互固定して連接する。各端蓋は、ライトフレームの前、
後二側に連接して封鎖し、また、透光カバーはライトフレームの下方に連接する。そして
、ライトフレーム、端蓋及び透光カバーの間はＬＥＤモジュールを設置するための納置空
間が形成されることを最も主な特徴とする。
【考案の効果】
【０００８】
本考案のＬＥＤ照明装置は、照明器具の加工と製造工程を大幅に簡素化し、且つ金型コ
ストを下げて、開発時間を短縮するという利点がある。
【考案を実施するための最良の形態】
【０００９】
本考案の主な目的は、ＬＥＤ照明装置を提供することである。ライトフレームはアルミ
材で直接一体絞出し成型し、照明器具加工と組立製造過程を大幅に簡素化し、更に、各種
異なる規格、効率もしくはルーメン数の照明装置を生産する時には、実際の使用要求に基
づき、ライトフレームを裁断分割し、異なる金型を新たに作る必要がないので、有効に金
型コストを下げ、開発時間を短縮する。
【００１０】
上述の目的のため、本考案は、ＬＥＤ照明装置を提供し、それは、一体成型のアルミ材
絞出しライトフレーム、ＬＥＤモジュール、端蓋及び透光カバーを含む。そのうち、ライ
トフレームは、台座を含み、その台座の最上面に放熱片を成形し、二枚の隣合う放熱片の
間には放熱通路が形成される。別に、台座の内側には支持部が成形される。ＬＥＤモジュ
ールは、固定座、固定座の一側面に固定するライトカバー及びライトカバー内部に複数納
置するＬＥＤライトを含み、固定座上には台座の支持部に対応する連接部を設置し、相互
固定して連接する。各端蓋は、ライトフレームの前、後二側に連接して封鎖し、また、透
光カバーはライトフレームの下方に連接する。そして、ライトフレーム、端蓋及び透光カ
バーの間はＬＥＤモジュールを設置するための納置空間が形成される。
【実施例】
【００１１】
本考案の詳細を図に基づいて、下記に説明するが、これらは説明のための参考にすぎず
、本考案に制限を加えるものではない。図１から図４に示すのは、本考案のライトフレー
ムとＬＥＤモジュールの部分立体分解図、立体分解図、組立指示図及び組立断面図である
。本考案は、ＬＥＤ照明装置を提供し、それは、主に、アルミ絞り型ライトフレーム10、
複数ＬＥＤモジュール20、一組の端蓋30、40及び一透光カバー50を含む。      
【００１２】
そのうち、このアルミ絞り型ライトフレーム10は、図４に示すように、ライトフレーム
の長さ方向断面が「Ｍ」字型の台座11を具え、台座11の傾斜板最上面は上向きに相互平行
の放熱片12が多数成形されて伸びる。また、二つの隣合う放熱片12の間には放熱通路13が
形成される。台座11の傾斜板底面には相互に平行な支持部14が複数成形され、本実施例の
支持部14は「T」字型溝で、そこにネジの頭部を嵌入して固定する。各支持部14の隙間箇
所には下向きに伸びる凸条15があり、その凸条15の中央にはコード納置溝16が凹設される
。別に、台座11の傾斜板最上面中間箇所には二つの相互に対応する貫通穿孔17が成形され
、台座11の左、右両側板底面には各々溝道18が成形され、前、後端面には多数個のネジ孔
19が設置される。
【００１３】
このＬＥＤモジュール20は、両端が「U」字型の固定座21、固定座21の外側に固定する
ライトカバー22及びライトカバー22の内部に納置する複数のＬＥＤライト23を含み、固定
座21上には前述の支持部14に対応する連接部211を設置する。本実施例の連接部211は固定
座21の通孔に開設し、ネジを差し込み、ナットで螺設して固定する。この他、このＬＥＤ
モジュール20は、更に、熱拡散プレート、熱伝達プレートなどの温度均等板24を含み、そ
の温度均等板24は固定座21内部に固定し、且つその上、下二平面は各々、ライトフレーム
の凸条15及び各ＬＥＤライト23の背面に貼り合わせて相互に接触させる。凸条15の底面と
温度均等板24の接触面の間には伝熱ジェル(図示せず)を塗布して熱伝導率を高める。
【００１４】
各端蓋30、40は、各々ライトフレーム10の前、後二側を封合して連接し、前方端蓋30の
内側には内向きに台座11と相互に差し込んで合わせる延長段31が延び、更に、端蓋30上に
凸耳32が成形され、この凸耳32上には前述の貫通穿孔17に対応する通孔33が設置される。
別に後方の端蓋40の内側もまた内向きに台座11に相互に差し込んで合わせる延長段41が延
び、更に端蓋40上に凸耳42が成形され、その凸耳42上には前述の貫通穿孔17に対応する通
孔43が設置され、ネジ44及びナット45でネジ止めする。別に端蓋40の後方には固定孔46が
成形され、下方には可動式保護蓋47を設置し、その保護蓋47は下向きに開き、電源コード
の連接がしやすくなっている(例として図５参照)。
【００１５】
この透光カバー50は、ライトフレーム10の下方に連接し、ライトフレーム10、各端蓋30
、40及び透光カバー50の間にＬＥＤモジュール20を設置する納置空間が形成される。この
透光カバー50は透明もしくは半透明の材質で製造し、且つ、一弧形板51及び弧形板51の末
端から外に向けて水平に延びる二個の平板52を具える。各平板52上にはそれぞれ溝521及
び通孔522が成形され、この溝521に長方形の防水ゴム条53を設置し、外部からの水気の侵
入を防止する。また通孔522は台座11の溝道18に対応して設置し、ネジ及びナットでネジ
止めする。
【００１６】
組立時、多数個のネジの頭部を各々ライトフレーム10の支持部14内に嵌入し、そのネジ
先を外側に向けて出し、次に、各固定座21の連接部211をそれぞれ前述の各ネジ先に対応
させて嵌め込み、そして、ナットでネジ先を止め、ＬＥＤモジュール20を各々ライトフレ
ーム10内に固定する。また、温度均等板24の最上面とライトフレーム10の凸条15の底面を
相互に合わせ、各ＬＥＤモジュール20の導線(図示せず)はコード納置溝16内に入れる。各
端蓋30、40の延長段31、41の表面には樹脂を塗り、別々に台座11の前、後に嵌入して連接
し、そして、ネジ44を端蓋30の通孔33、ライトフレーム10の貫通穿孔17及び端蓋40の通孔
43の順に入れた後、ナット45で螺合する。最後に、防水ゴム条53を透光カバー50の溝521
内に入れ、次に、透光カバー50の平板52をライトフレーム10の溝道18上に合わせ、ナット
で締めて連接する。このようにしてＬＥＤ照明装置が組み立てられる。
【００１７】
図５に示すのは、本考案を街灯に応用した組立断面図で、使用時は端蓋40の固定孔46を
ライト桿8の末端上に嵌合し、端蓋40の保護蓋47を開ける。また、ライト桿8の内部の電源
コードと各ＬＥＤライト組20の導線を連接する。各ＬＥＤライト23に電流が通ると、各Ｌ
ＥＤライト23が発光して熱を発生させる。この熱は、温度均等板24の大面積接触及び蒸気
液体相互熱伝導メカニズムにより、熱を即座に温度均等板24の最上面に伝え、更に、ライ
トフレーム10の放熱片12上まで伝える。そして、各放熱片12と外部の気体が相互に通じ、
熱を放出するため、各ＬＥＤライト23を比較的低い温度で発光させ、さらには使用寿命を
延ばす。
【００１８】
図６に示すのは、別実施例を街灯に応用した組立断面図である。本考案のライトフレー
ム10は、アルミ材で直接絞出し一体成型する。その絞出す長さは一般に数十センチ以上で
、各種異なる規格、効率もしくはルーメン数に対応した照明装置の求めに応じるため、ラ
イトフレームを裁断して分割する。再度金型製作する必要がなく、有効に金型コストを下
げ、開発の時間を短縮する。別に台座11、放熱片12、支持部14等は同一製造過程内で完成
し、照明器具の加工と組立を簡素化し、コストを下げる。
【図面の簡単な説明】
【００１９】
【図１】本考案のライトフレームとＬＥＤモジュール局部立体分解図である。
【図２】本考案の立体分解図である。
【図３】本考案の組立指示図である。
【図４】本考案の組立断面図である。
【図５】本考案を街灯に応用した組立断面図である。
【図６】本考案を街灯に応用した別の実施例の組立断面図である。
【符号の説明】
【００２０】
１０        アルミ絞り型ライトフレーム
１１        台座
１２        放熱片
１３        放熱通路
１４        支持部
１５        凸条
１６        コード納置溝
１７        貫通穿孔
１８        溝道
１９        ネジ孔
２０        ＬＥＤモジュール
２１        固定座
２１１        連接部
２２        ライトカバー
２３        ＬＥＤライト
２４        温度均等板
３０        端蓋
３１        延長段
３２        凸耳
３３        通孔
４０        端蓋
４１        延長段
４２        凸耳
４３        通孔
４４        ネジ
４５        ナット
４６        固定孔
４７        保護蓋
５０        透光カバー
５１        弧形板
５２        平板
５２１        溝
５２２        通孔
５３        防水ゴム条
８        ライト桿
【図１】
0003127899.tif 000003
【図２】
0003127899.tif 000004
【図３】
0003127899.tif 000005
【図４】
0003127899.tif 000006
【図５】
0003127899.tif 000007
【図６】
0003127899.tif 000008